(57)【要約】      （修正有）【課題】帯片の脱着を要さず、単純な構造であり乍ら、例えば帯片の伸び縮みに拠らずに種々なる径の筆記具を収容できるとともに、外部に無用な摩擦力を発生させないペンホルダーを提供する。【解決手段】複数の紙片が重合されて形成される冊子状物20に設けられるペンホルダー10である。ペンホルダー10は、帯片40、帯片40よりも摩擦力が大きい別の材質で形成され、帯片40の片面に貼着される滑り止め部50、帯片40の滑り止め部50が貼着された面と同じ面における端部であって冊子状物20に接続される接続部60,61を有する。滑り止め部50が内側となるように帯片40が曲げられた状態で滑り止め部50により筆記具収納部が形成される。冊子状物20には、ノート類及び書籍類のほか、冊子カバー、ファイルを含む。【選択図】図２
2015077766.tif 000002
【特許請求の範囲】
【請求項１】
複数の紙片が重合されて形成される冊子状物に設けられるペンホルダーであって、
前記ペンホルダーは、
帯片と、
当該帯片よりも摩擦力が大きい別の材質で形成され、当該帯片の片面に貼着される滑り止め部と、
前記帯片の前記滑り止め部が貼着された面と同じ面における端部であって冊子状物に接続される接続部と、
を有し、
前記滑り止め部が内側となるように前記帯片が曲げられた状態で前記滑り止め部により筆記具収納部が形成される、
ペンホルダー。
【請求項２】
前記冊子状物はそれに装着される冊子カバーを有し、
前記冊子カバーに前記接続部が接続される、
請求項１に記載のペンホルダー。
【請求項３】
前記冊子状物はファイルから構成され、
前記ファイルに前記接続部が接続される、
請求項１に記載のペンホルダー。
【請求項４】
前記帯片部は布により形成される、
請求項１〜３のいずれか１項に記載のペンホルダー。
【請求項５】
前記滑り止め部はポリウレタンにより形成される、
請求項１〜４のいずれか１項に記載のペンホルダー。
【請求項６】
前記接続部は粘着性両面テープにより形成される、
請求項１〜５のいずれか１項に記載のペンホルダー。
【請求項７】
前記接続部は前記帯片の両端部に形成される、
請求項１〜６のいずれか１項に記載のペンホルダー。
【発明の詳細な説明】
【技術分野】
【０００１】
本発明は、例えばノート類、書籍類、冊子カバー、ファイル等の冊子状物に装着可能なペンホルダーに関するものである。
【背景技術】
【０００２】
手帳やノートブックなどを用いる、すなわちそれらに納められた紙片に文字や絵を描く際には筆記具が用いられ、手帳やノートブックなどを持ち歩く際には、これらともに筆記具をも持ち歩くことが好ましく、それを実現するために手帳やノートブックはそれに取り付ける冊子カバーに筆記具を保持するためのホルダーが設けられたものが広く用いられている。
【先行技術文献】
【特許文献】
【０００３】
【特許文献１】実開平２−９４１８５号公報  （筆記具の径に応じてホルダーの径を調整可能）
【特許文献２】実用新案登録第３０８３７９６号公報  （ゴム製のペンホルダー）
【発明の概要】
【発明が解決しようとする課題】
【０００４】
ところで、筆記具の径（筆記具が多角形柱状であれば当該多角形の対角線の距離、以下同じ。）は一定ではなく、ペンホルダーは様々な径の筆記具に対応したものでなくてはならない。すなわち、筆記具の径に対してペンホルダーの径が、小さいと筆記具を収納できず、大きいと、筆記具を収納できるものの筆記具収容部と筆記具との間に隙間が多く、筆記具がペンホルダーから脱落しやすいという問題がある。
【０００５】
例えば技術文献１に記載の考案は、冊子の表紙の内面に設けられるペンホルダーであって、ペンホルダーを構成する帯片の内面と表紙の内面との少なくとも一方に面ファスナーなどの半固定接着部を設け、装着対象である筆記具の径に対して好適な筆記具収容部の径を設定することができるものである（同公報の実用新案登録請求の範囲の「２」、明細書の５頁１０〜１２行の「実施例（２）」、第１図及び第２図参照）。
【０００６】
然し、このような構成は、部品点数が多く煩雑な構造となるうえ、筆記具をその径が異なるものに変える度に表紙と帯片とを取り外すことを繰り返すことになるため、とくに表紙が薄いものであればその耐久性に問題を抱える。
【０００７】
他方、技術文献２に記載の考案では、帯片がゴムで構成されているため、当該ゴムの伸び縮みにより筆記具収容部の径を調整することができるが（同公報の実用新案登録請求の範囲の「請求項１」、図１及び図２参照）、ゴムの伸び縮みの範囲は限られ、すなわち筆記具の径の選択範囲もゴムの伸縮範囲に限られるうえ、筆記具の径が大きく当該筆記具を収容した状態でゴムの伸び量が最大に近くなった場合、ゴムの縮む力と摩擦力とにより筆記具の出し入れが困難となるという問題を抱える。
【０００８】
さらに、このようなペンホルダーを有する冊子を、机の上に拡げて使用する際にはペンホルダーと机との間に無用の摩擦力を生み、持ち運ぶ際にはペンホルダーと手指との間に無用の摩擦力を生むばかりかゴムのにおいが手指に移るという問題もある。
【０００９】
製品のデザイン性および雑貨らしさを印象づけるため、また、冊子を机の上に拡げて使用する際にペンホルダーがつぶれても折り癖が付きにくい利点から、ペンホルダーの材質には布を採用することが求められている。
【００１０】
本発明は、このような問題を解決するためになされたもので、帯片の脱着を要さず、単純な構造であり乍ら、例えば帯片の伸び縮みに拠らずに種々なる径の筆記具を収容できるとともに、外部に無用な摩擦力を発生させないペンホルダーを提供することをその目的とする。
【課題を解決するための手段】
【００１１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
第１に、例えば図１に示すように、複数の紙片が重合されて形成される冊子状物(20)に設けられるペンホルダー(10)である。
第２に、ペンホルダー(10)は、例えば図１及び図２に示すように、次の構成を有する。
（１）帯片(40)
（２）滑り止め部(50)
滑り止め部(50)は、帯片(40)よりも摩擦力が大きい別の材質で形成され、例えば図１及び図２に示すように、当該帯片(40)の片面に貼着されるものである。
（３）接続部(60,61)
接続部(60,61)は、例えば図１及び図２に示すように、帯片(40)の滑り止め部(50)が貼着された面と同じ面における端部であって冊子状物(20)に接続されるものである。
第３に、例えば図１及び図２に示すように、滑り止め部(50)が内側となるように帯片(40)が曲げられた状態で滑り止め部(50)により筆記具収納部(70)が形成される。
【００１２】
（請求項２）
請求項２に記載の発明は、上記した請求項１に記載の発明の特徴点に加え、次の点を特徴とする。
第１に、冊子状物(20)は、図示しないが、それに装着される冊子カバーを有する。
第２に、冊子カバーには、図示しないが、接続部(60,61)が接続される。
【００１３】
（請求項３）
請求項３に記載の発明は、上記した請求項１に記載の発明の特徴点に加え、次の点を特徴とする。
第１に、  冊子状物(20)は、図示しないが、ファイルから構成される。
第２に、ファイルには、図示しないが、接続部(60,61)が接続される。
【００１４】
（請求項４）
請求項４に記載の発明は、上記した請求項１〜３のいずれか１項に記載の発明の特徴点に加え、次の点を特徴とする。
すなわち、帯片(40)部は布により形成される。
【００１５】
（請求項５）
請求項５に記載の発明は、上記した請求項１〜４のいずれか１項に記載の発明の特徴点に加え、次の点を特徴とする。
すなわち、滑り止め部(50)は、ポリウレタンにより形成される。
【００１６】
（請求項６）
請求項６に記載の発明は、上記した請求項１〜５のいずれか１項に記載の発明の特徴点に加え、次の点を特徴とする。
すなわち、接続部(60,61)は、粘着性両面テープにより形成される。
【００１７】
（請求項７）
請求項７に記載の発明は、上記した請求項１〜６のいずれか１項に記載の発明の特徴点に加え、次の点を特徴とする。
すなわち、接続部(60,61)は、例えば図２及び図４に示すように、帯片(40)の両端部に形成される。
【発明の効果】
【００１８】
これにより、種々なる径の筆記具を収容できるとともに外部に無用な摩擦力を発生させないペンホルダーを実現することができる。
【図面の簡単な説明】
【００１９】
【図１】ペンホルダーを装着した冊子状物の斜視図である。
【図２】図１に対応し、装着前のペンホルダー及び冊子状物の斜視図である。
【図３】ペンホルダーの外面の平面図である。
【図４】ペンホルダーの内面の平面図である。
【図５】ペンホルダーを端面から見た説明図であり、同図（ａ）は帯片、滑り止め部、接続部の分離状態を示し、同図（ｂ）は形成状態を示すものである。
【図６】本発明の第２の実施の形態を示し、同図はペンホルダーを端面から見た説明図であり、同図（ａ）は帯片、滑り止め部、接続部の分離状態を示し、同図（ｂ）は形成状態を示すものである。
【図７】図６に対応し、ペンホルダーを冊子状物に装着する際の説明図である。
【図８】本発明の第２の実施の形態を示し、同図はペンホルダーの内面の平面図である。
【図９】本発明の第３の実施の形態を示し、ペンホルダーを装着した冊子状物の斜視図である。
【図１０】図９に対応し、ペンホルダーの使用状態を示す斜視図である。
【発明を実施するための形態】
【００２０】
（ペンホルダー10）
図１中、10は、ペンホルダーであり、複数の紙片が重合されて形成される冊子状物20に装着され、当該冊子状物20に対してペン30を保持するためのものである。
【００２１】
冊子状物20には、図１及び図２に示すように、おもて表紙21、裏表紙22、背表紙23、冊子本体24を含む。
具体的には、冊子状物20には、図示しないが、大別すると、次のものを含む。
（１）ノート類
ノート類には、図示しないが、いわゆる大学ノート、レポート用紙、メモ帳、スケッチブック、日記帳、伝票、帳簿、手帳等を含む。
（２）書籍類
書籍類には、書籍、参考書、雑誌、パンフレット等を含む。
（３）冊子カバー
冊子カバーは、上記ノート類や書籍類の外側に装着されるものである。
（４）ファイル
ファイルには、クリアーホルダー、フラットファイル、パイプ式ファイル、リングファイル、クリアーファイル、ボックスファイル等を含む。
【００２２】
上記ペン30には、ボールペン、シャープペンシル、マーカー、蛍光ペン、鉛筆等を含むものである。ペン30には、図１に示すように、好ましくはクリップ31が付いていた方がよく、クリップ31を後述する帯片40に差し込むことで、ペン30がペンホルダー10から不用意に落下するのを防止できる。
【００２３】
ペンホルダー10には、図１〜５に示すように、大別すると、次の各部を有する。
なお、次の（５）〜（７）については、後述する。
（５）帯片40
（６）滑り止め部50
（７）接続部60,61
なお、ペンホルダー10の各部は、上記した（５）〜（７）に限定されない。
【００２４】
（帯片40）
帯片40は、例えば布により形成される。
すなわち、この発明によれば、ペン30と筆記具収容部70との摩擦力によりペン30がペンホルダー10に収容された状態が維持されるため、ペン30の径に応じて帯片40と冊子状物20との接続位置を変更する必要が無く、また、ペン30の径に応じてペンホルダー10が伸び縮みするような構成を採用する必要がない。
このため、例えば、ペンホルダー10の帯片40を布により形成する。布の摩擦係数は小さいため、このような材質を採用することで、外部に無用な摩擦力を発生させず、さらにゴムのような特定のにおいが発生しない。
【００２５】
（滑り止め部50）
滑り止め部50は、帯片40よりも摩擦力が大きい別の材質で形成され、図１及び図２に示すように、当該帯片40の片面、すなわち外面41と内面42のうち、その内面42に貼着されるものである。
そして、図１及び図２に示すように、滑り止め部50が内側となるように帯片40が曲げられた状態で滑り止め部50により筆記具収納部70が形成される。
滑り止め部50は、例えばポリウレタンにより形成される。
布よりポリウレタンの方が摩擦係数が高いので、筆記具収容部70の内周に貼着することで、布のみよりも高い摩擦力が期待される。
【００２６】
例えば、ペンホルダー10の帯片40に布を用いる場合、ペン30の出し入れや携帯時の擦れなどにより、繊維方向への力が加わると破損が生じやすいため、複数枚の布をそれぞれの布の繊維方向が異なるように貼合、あるいは布と樹脂とを布の繊維方向と樹脂の流れ方向が異なるように貼合、または布に樹脂を塗布することで、ペンホルダー10の強度が増し破損が生じにくい構成となる。
すなわち、帯片40の布の繊維方向を、図３に示すように、例えば格子状、すなわち同図において垂直な縦糸と、水平な横糸とから構成している。これに対し、滑り止め部50の樹脂の流れ方向を、図４に示すように、斜めに傾斜させている。帯片40の布の繊維方向に対し、滑り止め部50の樹脂の流れ方向を略４５度傾斜させている。
なお、帯片40と滑り止め部50とを略４５度、交差させたが、これに限定されず、帯片40の布の繊維方向と、滑り止め部50の樹脂の流れ方向とが異なっていれば足りる。
【００２７】
従来、布で帯片40を形成するなら、その端部から布を形成する繊維が解けてしまうことを防ぐために端部を内側に折り返してその箇所を縫い付けるべきものであるが、本発明においてこの方法を採用すると、帯片40において、端部とそれ以外の箇所とで厚さが異なり、ペンホルダ10と冊子状物20とを固定する箇所に段差が生じることとなり、このことが両者を確実に固定するうえで障害となり得る。
しかし、本発明の布製の帯片40においてはその内面42（筆記具収容部70）にウレタンゴムが貼着されていることにより繊維が解けることが妨げられるため、端部を内側に折り返してその場所を縫い付ける方法を採用する必要が無い。
【００２８】
前記筆記具収容部70に貼着するウレタンゴムの厚みは０．０２ｍｍ〜０．０８ｍｍが好適である。これより薄いと布とウレタンゴムとが剥離しやすく、これより厚いと、布とウレタンゴムとの接着力は上がるが、筆記具収納部70の剛性が強くなり、冊子状物20と、それに接続されるペンホルダー10の後述する接続部60,61とが剥がれやすくなる。
すなわち、滑り止め部50は、図５に示すように、帯片40の内面42の全面に形成することで、繊維が解けることを防止している。
【００２９】
（接続部60,61）
接続部60,61は、図１及び図２に示すように、帯片40の滑り止め部50が貼着された面と同じ面における端部であって冊子状物20に接続されるものである。
接続部60,61は、例えば粘着性両面テープにより形成される。
接続部60,61は、図２、図４及び図５に示すように、帯片40の両端部に形成される。
【００３０】
（ペンホルダー10の装着）
上記した構成を有するペンホルダー10は、図１及び図２に示すように、接続部60,61の一方をおもて表紙21に、他方を背表紙23をまたいで裏表紙22にそれぞれ接着する。
接続部60,61のそれぞれを接着することで、帯片40がループ状に曲げられた状態で滑り止め部50により筆記具収納部70が形成される。
ループ状の筆記具収納部70にペン30を差し込むと、ポリウレタン製の滑り止め部50の摩擦力によりペン30がペンホルダー10に収容された状態が維持される。
このとき、クリップ31を帯片40に差し込むことで、ペン30がペンホルダー10から不用意に落下するのを防止することができる。
【００３１】
（図６及び図７に示す第２の実施の形態）
つぎに、図６及び図７を用いて、本発明の第２の実施の形態について説明する。
本実施の形態の特徴は、滑り止め部50を、図６に示すように、帯片40の内面42の一部に形成した点である。
すなわち、図６に示すように、滑り止め部50を、帯片40の左右の長さより短く形成することで、帯片40の厚み方向において、接続部60,61との重なりを避けることができる。具体的には、接続部60,61の左右の長さの分（２Ｎ）、滑り止め部50の左右の長さ（Ｍ）を帯片40の左右の長さ（Ｌ）より短く形成している（Ｍ＝Ｌ−２Ｎ）。
本実施の形態によれば、ペンホルダー10全体の厚みの増加を防止し、おもて表紙21や裏表紙22の表面とペンホルダー10との段差を減少でき、見栄えよくペンホルダー10を装着することができる。また、段差を減少できることから、段差にものが引っ掛かり難くでき、接続部60,61の剥がれを防止することができる。
【００３２】
（図８に示す第３の実施の形態）
図８を用いて、本発明の第３の実施の形態について説明する。
本実施の形態の特徴は、滑り止め部50を、図８に示すように、帯片40の内面42の周端にリング状に形成した点である。
本実施の形態によれば、滑り止め部50を内面42の全面に形成する場合に比べてその面積を少なく抑えることにより、筆記具収納部70の剛性がかえって強くなり過ぎて冊子状物20と接続部60,61とが剥がれやすくなることを防ぐとともに、滑り止め部50と収納されるペン30との間で摩擦力を担保しつつ、滑り止め部50により帯片40の布の周囲の繊維が解けることが防止できる。
【００３３】
（図９及び図１０に示す第４の実施の形態）
図９及び図１０を用いて、第４の実施の形態について説明する。
本実施の形態の特徴は、図９に示すように、帯片40の一端部にだけ接続部60を形成し、他端部である自由端部43を、図１０に示すように、冊子状物20の冊子本体24の途中にしおり状に差し込んで保持できるようにした点である。
すなわち、接続部60を、図９に示すように、冊子状物20の裏表紙22の内面であって、その自由端部側に接着する。帯片40の自由端部43を、図１０に示すように、冊子状物20の冊子本体24のページとページとの間に、しおり状に差し込むことで、帯片40がループ状に曲げられた状態で滑り止め部50により筆記具収納部70が形成される。
本実施の形態によれば、ペンホルダー10をしおりとしても使用することができる。
【符号の説明】
【００３４】
＜第１、第２実施の形態＞
10  ペンホルダー    20  冊子状物
21  おもて表紙      22  裏表紙
23  背表紙          24  冊子本体
30  ペン            31  クリップ
40  帯片
41  外面            42  内面
50  滑り止め部      60,61  接続部
70  筆記具収納部
＜第３の実施の形態＞
50  滑り止め部
＜第４の実施の形態＞
43  自由端部
【図１】
2015077766.tif 000003
【図２】
2015077766.tif 000004
【図３】
2015077766.tif 000005
【図４】
2015077766.tif 000006
【図５】
2015077766.tif 000007
【図６】
2015077766.tif 000008
【図７】
2015077766.tif 000009
【図８】
2015077766.tif 000010
【図９】
2015077766.tif 000011
【図１０】
2015077766.tif 000012